(57)【特許請求の範囲】
【請求項１】
オプティック前面と、オプティック後面と、周縁部にオプティックエッジ面とを有し、前記オプティックエッジ面は前記オプティック前面と前記オプティック後面とを接続する略円形のオプティックと、
前記オプティックの前記周縁部に連結されたショルダー部と、前記ショルダー部から外方に延在するアーム部と、ハプティック前面と、ハプティック後面とを有し、前記ハプティック後面は前記ショルダー部に段付き特徴部を形成する少なくとも２つのハプティックとを備え、
前記ショルダー部の厚みが前記アーム部から前記オプティックに行くに連れて減少し、
前記ハプティック前面には、前記ショルダー部の前面に亘って延在するテーパ面が曲面凹状に形成されている眼内レンズ。
【請求項２】
前記段付き特徴部は、前記アーム部から後方に突出する請求項１に記載の眼内レンズ。
【請求項３】
夫々の前記ハプティックの前記ハプティック後面は、前縁部および後縁部を備え、前記段付き特徴部は、前記前縁部から前記後縁部まで延在する請求項１または２に記載の眼内レンズ。
【請求項４】
夫々の前記ハプティックの前記ハプティック後面は、後方アーム面を備え、夫々の前記ハプティックの前記段付き特徴部は、前記後方アーム面から後方に突出する請求項１〜３のいずれか１項に記載の眼内レンズ。
【請求項５】
夫々の前記ハプティックの前記段付き特徴部は、略零よりも大きい障壁角で前記後方アーム面と交差する段付き面を備えた請求項４に記載の眼内レンズ。
【請求項６】
前記障壁角は、約５度〜約１７５度である請求項５に記載の眼内レンズ。
【請求項７】
前記障壁角は、約９０度である請求項６に記載の眼内レンズ。
【請求項８】
夫々の前記ハプティックの前記ハプティック後面は、後方ショルダー面を備え、前記段付き面は、前記後方ショルダー面と前記後方アーム面とを接続する請求項５に記載の眼内レンズ。
【請求項９】
夫々の前記ハプティックは、前記後方ショルダー面と前記後方アーム面とが前記段付き面を介して前記オプティックの光軸に平行な線上において約０．０５ｍｍ〜約０．５０ｍｍの距離で互いに分離される請求項８に記載の眼内レンズ。
【請求項１０】
前記距離は、約０．１０ｍｍである請求項９に記載の眼内レンズ。
【請求項１１】
夫々の前記ハプティックは、前記後方ショルダー面と前記後方アーム面とが、前記オプティックエッジ面の曲線状前方エッジと前記オプティックエッジ面の曲線状後方エッジとの間の中央にある中央オプティック平面の一方側と他方側とにそれぞれ配置される請求項８に記載の眼内レンズ。
【請求項１２】
前記オプティックエッジ面を前記オプティックの光軸に垂直な平面で半分に分割する中央オプティック平面と、
夫々の前記ハプティックの前記アーム部を前記垂直な平面と平行である平面で半分に分割する中央ハプティック平面とを備え、
夫々の前記中央ハプティック平面は、前記中央オプティック平面から前方にオフセットされる請求項１〜１０のいずれか１項に記載の眼内レンズ。
【請求項１３】
夫々の前記ハプティックの前記ハプティック前面は、前記ショルダー部にわたって延在するテーパ面を備え、夫々の前記ハプティックの前記ショルダー部は、前記ハプティック後面から前記ハプティック前面の前記テーパ面までの貫通孔を有する請求項１〜１２のいずれか１項に記載の眼内レンズ。
【請求項１４】
夫々の前記ハプティックの前記ハプティック前面は、前方アーム面を備え、前記テーパ面は、凹状で且つ前記前方アーム面と交差する請求項１３に記載の眼内レンズ。
【請求項１５】
夫々の前記ハプティックの前記ハプティック後面は、前記段付き特徴部の段付き面によって互いに分離される後方ショルダー面および後方アーム面を備え、前記段付き面は、略零よりも大きい障壁角で前記後方アーム面と交差する請求項１４に記載の眼内レンズ。
【請求項１６】
オプティック前面と、オプティック後面と、周縁部にオプティックエッジ面とを有し、前記オプティックエッジ面は前記オプティック前面と前記オプティック後面とを接続する略円形のオプティックと、
前記オプティックの前記周縁部に連結されたショルダー部と、前記ショルダー部から外方に延在するアーム部と、ハプティック前面と、ハプティック後面とを有する少なくとも２つのハプティックとを備え、
前記オプティックエッジ面を前記オプティックの光軸に垂直な平面で半分に分割する中央オプティック平面と、前記アーム部を前記垂直な平面と平行である平面で半分に分割する中央ハプティック平面とを備え、前記中央ハプティック平面は前記中央オプティック平面から前方に離間し、
前記ショルダー部の厚みが前記アーム部から前記オプティックに行くに連れて減少し、
前記ハプティック前面には、前記ショルダー部の前面に亘って延在するテーパ面が曲面凹状に形成されている眼内レンズ。
【請求項１７】
夫々の前記ハプティックの前記ハプティック前面は、前方アーム面を備え、夫々の前記ハプティックの前記ハプティック後面は、後方アーム面を備え、夫々の前記ハプティックの前記前方アーム面は、前記オプティックの光軸に平行な線上において第１のオフセット距離だけ前記中央オプティック平面から離間され、夫々のハプティックの前記後方アーム面は、前記光軸に平行な線上において第２のオフセット距離だけ前記中央オプティック平面から離間され、前記第２のオフセット距離は前記第１のオフセット距離よりも短い請求項１６に記載の眼内レンズ。
【請求項１８】
夫々の前記ハプティックの前記前方アーム面および夫々の前記ハプティックの前記後方アーム面は、前記中央オプティック平面の前方に位置する請求項１７に記載の眼内レンズ。
【請求項１９】
夫々の前記ハプティックの前記前方アーム面は、前記中央オプティック平面の前方に位置し、夫々の前記ハプティックの前記後方アーム面は、前記中央オプティック平面の後方に位置する請求項１７に記載の眼内レンズ。
【請求項２０】
夫々の前記ハプティックの前記ハプティック前面は、前記ショルダー部に亘って延在するテーパ面を備え、前記テーパ面は、凹状で且つ前記前方アーム面と交差する請求項１７に記載の眼内レンズ。
【請求項２１】
夫々の前記ハプティックの前記ショルダー部は、前記ハプティック後面から前記ハプティック前面の前記テーパ面までの貫通孔を有する請求項２０に記載の眼内レンズ。
【請求項２２】
夫々の前記ハプティックの前記ハプティック後面は、前記ショルダー部に段付き特徴部を備える請求項１６〜２１のいずれか１項に記載の眼内レンズ。
【請求項２３】
夫々の前記ハプティックの前記ハプティック後面は、後方アーム面を備え、夫々のハプティックの前記段付き特徴部は、前記後方アーム面から後方に突出する請求項２２に記載の眼内レンズ。
【請求項２４】
夫々の前記ハプティックの前記段付き特徴部は、略零よりも大きい障壁角で前記後方アーム面と交差する段付き面を備える請求項２３に記載の眼内レンズ。
【請求項２５】
夫々の前記ハプティックの前記ハプティック前面は、前記オプティックの光軸に平行な線上において第１のオフセット距離だけ前記中央オプティック平面から離間された前方アーム面を備え、夫々の前記ハプティックの前記後方アーム面は、前記光軸に平行な線上において第２のオフセット距離だけ前記中央オプティック平面から離間され、前記第２のオフセットは前記第１のオフセット距離よりも短い請求項２４に記載の眼内レンズ。
【発明の詳細な説明】
【技術分野】
【０００１】
本発明は、概して眼内レンズに関し、より具体的には、低侵襲手術による移植のために構成される眼内レンズに関する。
【背景技術】
【０００２】
眼の中に眼内レンズを移植した後、上皮細胞がレンズのハプティックから屈折領域へと移動することでレンズを覆い隠す可能性がある。この状態は、後嚢混濁（ＰＣＯ）として知られている。また、ハプティックが眼の水晶体嚢の中に差し込まれているために起こり得るように、ハプティックが径方向に圧縮された場合および／または移植後に外的な力が眼に印加された場合に、眼内レンズの屈折領域が眼の中で前に（すなわち、前方に）湾曲するかまたは押される場合がある。移植時には、後方への湾曲が予測できればレンズの最終的な位置がより予測可能となり、よって正視眼のより良好な予測に結びつく。ＰＣＯを防止し、レンズの最終的な位置をより予測可能にすることが常に要求されている。
【発明の概要】
【０００３】
端的にかつ一般的に述べると、本発明は、眼内レンズを対象とする。本発明の態様において、眼内レンズは、オプティック前面と、オプティック後面と、周縁部にオプティックエッジ面とを有し、前記オプティックエッジ面は前記オプティック前面と前記オプティック後面とを接続する略円形のオプティックと、前記オプティックの前記周縁部に連結されたショルダー部と、ショルダー部から外方に延在するアーム部と、ハプティック前面と、ハプティック後面とを有し、前記ハプティック後面は前記ショルダー部に段付き特徴部を形成する少なくとも２つのハプティックとを備える。
【０００４】
本発明の他の態様において、眼内レンズは、オプティック前面と、オプティック後面と、周縁部にオプティックエッジ面とを有し、前記オプティックエッジ面は前記オプティック前面と前記オプティック後面とを接続する略円形のオプティックと、前記オプティックの前記周縁部に連結されたショルダー部と、前記ショルダー部から外方に延在するアーム部と、ハプティック前面と、ハプティック後面とを有する少なくとも２つのハプティックとを備え、前記オプティックエッジ面を前記前方オプティックエッジ面と当該前方オプティックエッジ面と実質的に同じ面積である後方オプティックエッジ面とに分割する中央オプティック平面を備え、前記中央オプティック平面は前記オプティックエッジ面を半分に分割し、中央ハプティック平面は前記アーム部を半分に分割し、前記中央ハプティック平面は前記中央オプティック平面から前方に離間される。
【図面の簡単な説明】
【０００５】
【図１】オプティックと、上皮細胞のオプティックへの移動を防止する段付き特徴部を有する２つのハプティックとを示す本発明の一つの実施形態における眼内レンズの後方平面図である。
【図２】ハプティックのアーム部を通る中央オプティック平面を示す図１の眼内レンズの側面図である。
【図３】図１の眼内レンズの斜視図である。
【図４】本発明の別実施形態における眼内レンズの前方平面図である。
【図５】ハプティックのアーム部の後方に位置する中央オプティック平面を示す図４の眼内レンズの側面図である。
【図６】図４の眼内レンズの斜視図である。
【図７】図１の眼内レンズのオプティック‐ハプティック分岐点を示す詳細側面図である。
【図８】図４の眼内レンズのオプティック‐ハプティック分岐点を示す詳細側面図である。
【発明を実施するための形態】
【０００６】
本明細書および添付の特許請求の範囲に関して、そうではないことが明示的に述べられているかまたは文脈から一義的に明らかでない限り、単数形でなされる本発明の任意の態様への任意の言及は、複数形も含み、また逆の場合も同様であると解される。よって、「１つの（ａ）」ハプティックまたは「前記（ｔｈｅ）」ハプティックの言及は、そうではないことが一義的に述べられているかまたは文脈から一義的に明らかでない限り、１つのハプティックのみを指すものではなく、２つ以上のハプティックも指す。
【０００７】
本明細書において使用される付近、約、およそ、実質的に、本質的に等の任意の近似を表す用語は、その近似を表す用語によって修飾される語または句が正確に記載される通りである必要はなく、記載からある程度幅をもっても良く、限定されない。記載の幅をもっても良い程度は、修飾された形態が、なおも修飾された語または句の特性、特徴、および性能を有していると当業者が認識でき、且つ導入できる変化の幅による。例えば、限定されないが、形状が「実質的に円形である」との記載は、完全に円形である形状と、たとえ円の複数の位置で測定される直径が正確には同じでないとしても、当業者が容易に円形であると認識するであろう形状とを指す。別の限定的されない例として、第２の構造と比較して「実質的に平行である」と記載される第１の構造は、完全に平行な配置と、たとえ２つのそれぞれの構造上の対応する位置の間の距離が完全に同じではないとしても、当業者が容易に平行であると認識するであろう配置とを包含する。一般的だが本明細書における前述した内容を考慮して、近似を表す語によって修飾される数値は、そうではないと明示的に述べられている場合を除いて、記載される値から±１５％の幅をもっていてもよい。
【０００８】
本明細書において使用される「好ましい」、「好ましくは」等の用語は、本特許出願時における選択を指す。
【０００９】
本明細書において使用される眼内レンズまたはＩＯＬは、眼の天然の水晶体の代わりとして（偽水晶体レンズ）、または天然の水晶体の画像合焦点特性の補助として（有水晶体レンズ）、眼内に外科的に設置される光を屈折させるレンズを指し、いずれの場合においても、眼内にＩＯＬが移植される患者の視力を向上させること、または場合によっては視力を回復することを目的とする。
【００１０】
本明細書において使用される「前方の」および「後方の」という用語は、構築物が眼内に移植された後の空間関係を指す。よって、ＩＯＬの前面は、外部環境側である。ＩＯＬの後面は、網膜側である。
【００１１】
本明細書において使用されるハプティック等の構築物の「前縁部」は、より大きな曲率半径を有するエッジを指し、反対に、「後縁部」は、より小さな曲率半径を有するエッジを指す。
【００１２】
本明細書において使用されるＩＯＬの「屈折領域」は、眼の網膜上の映像の合焦または合焦を補助する機能を有するレンズ部を指す。
【００１３】
本明細書において使用される「ハプティック」は、それらが水晶体嚢内でＩＯＬを支持するための支柱としての役割を果たす連結領域から外側に延在する１つ以上の延在部を指す。連結領域とは、屈折領域の周縁部にある環状のセグメント領域を指す。ハプティックは、ワンピース型、マルチピース型、プレート、閉鎖型ループ、および開放型ループ等の多くの異なるデザインを有することが知られており、限定されない。本発明の目的として、ハプティックは、ワンピース型の開放型ループデザインで構成される。
【００１４】
本明細書において使用される「貫通孔」とは、好ましくは、流体が物を完全に通過することができるように、物の一面から完全に物を通過して物の別面へと延在する間隙を指す。
【００１５】
本明細書において使用される場合、２つの構築物の間の「外角」とは、一方の構築物から他方の構築物へと、２つの構築物に対して外側円弧に沿って測定可能な２つの構築物の外側の角度を指す。
【００１６】
本明細書において使用される「障壁角」は、ハプティックの後方アーム面と、後方アーム面と交差する段付き面との間の外角を指し、上皮細胞が段付き面を超えて移動するのを防止するのに十分な角度のことである。
【００１７】
本明細書において使用される「光軸」とは、ＩＯＬの屈折領域の幾何学的中心を通過して、屈折領域の前面および後面の２つの曲率中心を結合する仮想直線を指す。
【００１８】
ここで、本発明の実施形態を例示するためにより詳細な参照図面として、眼内レンズ１０を図１〜６に示し、いくつかの図面において対応する要素に同様の参照番号を付している。眼内レンズ１０は、低侵襲手術法による水晶体嚢移植のために折り畳まれ、一旦移植されると、自律的にまたはさらなる操作によって開くことを可能にする弾性ポリマーで形成されていることが好ましい。眼内レンズ１０は、実質的に円形であって、レンズの屈折領域としての役割を果たす、オプティック１２を備える。オプティック１２は、オプティック前面１４と、オプティック後面１６と、オプティック周縁部２０のオプティックエッジ面１８とを備える。オプティック前面１４は、球面半径を有し、オプティック後面１６は、非球面半径を有していても良い。オプティックの前面および後面はまた、球面、非球面、円環状、もしくは固有の角膜異常を矯正するためのカスタマイズ形状、または上記の組み合わせのいずれかでもよい。光軸１７（図２および５）は、オプティック前面１４およびオプティック後面１６の曲率中心を通過する。オプティックエッジ面１８は、オプティック前面１４とオプティック後面１６とを接続する。オプティックエッジ面１８は、グレアを最小限に抑えるために粗い質感を有していても良い。
【００１９】
眼内レンズ１０は、少なくとも２つのハプティック２２をさらに備える。夫々のハプティック２２は、オプティック周縁部２０に連結されたショルダー部２４と、ショルダー部２４から外方に延在するアーム部２６とを有する。各ハプティック２２は、アーム部２６の自由末端２７を終端とする。ハプティック２２は、開放型Ｃループデザインであるが、他の開放型ループデザインも適用することができ、これらは本発明の範囲内である。各ハプティック２２はまた、ショルダー部２４およびアーム部２６の一方側と他方側とにハプティック前面２８とハプティック後面３０とを有する。たとえ図中でそのように明示的に示されていない場合であっても、一方のハプティックについて図示される任意の寸法および任意の特徴が他方のハプティックについても同じであるように、本実施形態のハプティック２２は対称であることが現時点で好ましい。しかしながら、一方のハプティックについての寸法もしくは特徴が、他方のハプティックに表れないか、または他方のハプティックについての対応する特徴もしくは寸法と同じではないといった、夫々のハプティックが非対称であることも本発明の範囲内である。
【００２０】
ハプティック後面３０は、ショルダー部２４に段付き特徴部３２を備える。患者の眼の中に移植した後、上皮細胞がアーム部２６に付着する可能性があるが、段付き特徴部３２は、レンズの屈折領域上に細胞が移動するのを防止する障壁となる。図１および２において、上皮細胞はアーム部２６の後側の小さな球体として示されている。
【００２１】
現時点で好ましい実施形態として、段付き特徴部３２は、オプティック周縁部２０から離間された突起、隆起、または突出部等の幾何学的不連続性を有する。段付き特徴部３２は、前縁部３６から後縁部３８にかけてショルダー部２４を横切って連続的に延在する。
【００２２】
図２および５に示されるように、ハプティック後面３０は、アーム部２６にわたって延在する後方アーム面４２を備える。段付き特徴部３２は、後方アーム面４２から後方３４に突出し、段付き面４４の形態で障壁を形成する。段付き面４４は、ゼロよりも大きい障壁角Ａで後方アーム面４２と交差する。障壁角Ａは、約５度〜約１７５度、約５度〜約９０度、約９０度〜約１７５度であってもよい。好ましくは、障壁角Ａは、約８０度〜約１１０度であり、より限定すると約９０度である。障壁角Ａを９０度未満にするとアンダーカットが生じ、段付き面４４が後方アーム面４２の一部の上の位置に傾斜する。図２において、障壁角Ａは約１３５度である。図５において、段付き面４４が後方アーム面４２に対して実質的に垂直であるように、障壁角Ａは実質的に９０度である。
【００２３】
段付き特徴部３２は、ハプティック後面３０の種々の部分に段差がある。ハプティック後面３０は、ショルダー部２４に亘って延在する後方ショルダー面４６を含む。図２に示されるように、後方ショルダー面４６は、実質的に平面であり、ハプティック後面３０の残り部分と段差がある。
【００２４】
図４〜６の実施形態において、後方ショルダー面４６および後方アーム面４２は、実質的に平面であり、実質的に互いに平行であり、光軸１７に平行な仮想直線４３に沿って０．０５ｍｍ〜０．５０ｍｍの距離だけ互いに離間される。より限定すると距離は約０．１０ｍｍである。段付き特徴部３２の高さは、レンズの屈折領域への上皮細胞の移動を防止するような距離が選択される。
【００２５】
眼内レンズ１０は、段付き特徴部３２と組み合わさって、後述するような湾曲状の特徴部を有してもよい。
【００２６】
図４〜６の実施形態において、後方ショルダー面４６と後方アーム面４２とは、オプティックエッジ面１８の曲線状前方エッジ５４とオプティックエッジ面１８の曲線状後方エッジ５６との間の中心に位置する中央オプティック平面５２の一方側と他方側とに位置する。中央オプティック平面５２は、ショルダー部２４を通過する。アーム部２６全体が中央オプティック平面５２の前方にあるため、中央オプティック平面５２はアーム部２６を通過しない。アーム部２６を中央オプティック平面５２の前方に位置させることにより、アーム部２６に径方向の圧縮力５７（図４および５）が印加されたときに、矢印５５によって示されるようにアーム部２６を前方に屈曲させる（図５）。アーム部２６の前方（または前方向）への屈曲は、オプティック１２を反対方向である後方（または後方向）３４に付勢するかまたは押す傾向にあり、それによってオプティック１２の前方湾曲を防止するかまたは最小限に抑える。
【００２７】
図１および２の実施形態において、アーム部２６全体が中央オプティック平面５２の前方にあるわけではない。中央オプティック平面５２は、アーム部２６およびショルダー部２４を通過する。各ハプティック２２は、ハプティック前面２８とハプティック後面３０とを接続するハプティックエッジ面５８を有する。図２に示されるように、中央ハプティック平面６０は、アーム部２６内の中心、かつハプティックエッジ面５８の曲線状前方エッジ６２とハプティックエッジ面５８の曲線状後方エッジ６４との間に配置される。中央ハプティック平面６０は、中央オプティック平面５２から前方向６６にオフセットされる。中央ハプティック平面６０を中央オプティック平面５２の前方に位置させることにより、移植後、アーム部２６に径方向の圧縮力５７（図１および２）が印加されたときにオプティック１２を後方に移動させる。
【００２８】
現時点で好ましい実施形態として、中央オプティック平面５２は、オプティックエッジ面１８の前方エッジ５４とオプティックエッジ面１８の後方エッジ５６との間の中心にある。オプティックエッジ面１８上の破線５３（図３）は、中央オプティック平面５２がどこでオプティックエッジ面１８と交差するかを示す。中央ハプティック平面６０は、前方アーム面７２と後方アーム面４２との間の中心にある。ハプティックエッジ面５８上の破線６１（図３）は、中央ハプティック平面６０がどこでハプティックエッジ面５８と交差するかを示す。中央オプティック平面５２は、破線６１の下でハプティックエッジ面５８と交差する。中央ハプティック平面６０は、中央オプティック平面５２と実質的に平行であり、中央オプティック平面５２から前方６６に離間し、平面間のオフセット距離７３だけ互いから離間している。
【００２９】
いくつかの実施形態において、図３に示されるように、中央オプティック平面５２は、オプティックエッジ面１８を、前方オプティックエッジ面７４と、前方オプティックエッジ面７４と実質的に同じ面積である後方オプティックエッジ面７５との２つの半割部に分割する。中央ハプティック平面６０は、アーム部２６を、前方アーム容積部７６と、前方アーム容積部７６と実質的に同じ容積である後方アーム容積部７８との２つの半割部に分割する。
【００３０】
いくつかの実施形態において、中央オプティック平面５２上の複数の点に関して、各点は、前方エッジ５４および後方エッジ５６から実質的に等距離である。中央ハプティック平面６０上の複数の点に関して、各点は、前方アーム面７２および後方アーム面４２から実質的に等距離である。
【００３１】
図７は、図２の部分詳細図である。図７に示されるように、前方アーム面７２は、全体的に中央オプティック平面５２の前方に位置する一方で、後方アーム面４２は、全体的に中央オプティック平面５２の後方に位置する。図８は、図５の部分詳細図である。図８に示されるように、前方アーム面７２および後方アーム面４２の両方が、全体的に中央オプティック平面５２の前方に位置する。図７および８の両方において、前方アーム面７２は、光軸１７（図２および４）と実質的に平行線上で測定した場合の第１のオフセット距離８０だけ中央オプティック平面５２から離間している。後方アーム面４２は、光軸１７と実質的に平行線上で第２のオフセット距離８２だけ中央オプティック平面５２から離間している。第２のオフセット距離８２は第１のオフセット距離８０よりも短いので、アーム部２６に径方向の圧縮力が印加されたときにアーム部２６を前方向に屈曲させる。一方、この屈曲は、眼の水晶体嚢内に移植されたときにオプティック１２の予測可能な後方変位を引き起こす。
【００３２】
眼内レンズ１０は、段付き特徴部３２および湾曲特徴部と組み合わせて、図１〜３、および７の実施形態、ならびに図４〜６、および８の実施形態に示されるような、ショルダー部２４におけるハプティック２２の屈曲を促進する別の特徴部を有してもよい。ハプティック前面２８は、ショルダー部２４にわたって延在するテーパ面６８を備える。ショルダー部２４は、ハプティック後面３０からテーパ面６８まで貫通する貫通孔７０を有する。貫通孔７０は、径方向の圧縮力５７が付与されるとき、オプティック１２に非点収差による歪みを引き起こすことなく、ハプティック２２がショルダー部２４で屈曲することを可能にする。貫通孔７０は、例示されるように断面が円形であってもよく、あるいは楕円形、正方形、偏菱形、四角形、正多角形もしくは不等辺多角形、または単純に不規則な形状等の実際上いかなる幾何学的形状を有していてもよい。後方ショルダー面４６は、ショルダー部２４にわたって延在し、オプティック周縁部２０と段付き特徴部３２とを接続する。後方ショルダー面４６はテーパ面６８の反対にあるので、貫通孔７０は、後方ショルダー面４６からテーパ面６８まで延在する。
【００３３】
図４に示されるように、テーパ面６８は、オプティック周縁部２０からの径方向の距離が増加するにつれて狭くなる断面寸法６９を有する。断面寸法６９は、オプティック周縁部２０で最大である。テーパ面６８は、前方アーム面７２と交差して終端する。断面寸法６９は、テーパ面６８が前方アーム面７２と交差するところで最小である。ショルダー部２４の厚さ７１（図７）は、オプティック周縁部２０で最小となりテーパ面６８が前方アーム面７２と交差するところで最大となるように、テーパ面６８は前方アーム面７２と同一平面上でない。オプティック周縁部２０に向かってハプティック２２の厚さ７１が減少することにより、矢印５５方向にハプティック２２の前方屈曲が促進される。
【００３４】
眼内レンズ１０の表面およびエッジは、直径（Ｄ）、半径（Ｒ）、長さ（Ｌ）、および厚さ（Ｔ）等の種々の寸法パラメータによって画定される。寸法パラメータは、図４および５において文字の後に数字を伴って表示される。例えば、Ｄ１およびＤ２は、第１の直径および第２の直径を意味する。直径Ｄ１〜Ｄ３は、オプティック１２の中心に共通の中心点Ｃを有する。Ｒ１およびＲ２は、第１の半径および第２の半径を意味する。各半径Ｒは、中心点Ｃを中心とする直交するＸ軸、Ｙ軸、およびＺ軸に従って位置する対応点Ｐを中心とするかまたはそこから測定される。Ｚ軸は、オプティック１２の光軸１７に対応する。例えば、Ｒ１およびＲ２は、点Ｐ１およびＰ２を中心とするかまたはそこから測定される半径を意味する。貫通孔７０の直径Ｄ４は、点Ｐ６を中心とする。各点Ｐのおよその位置は、図４および５において「＋」記号によって示される。
【００３５】
現時点で好ましい実施形態として、寸法パラメータの値（Ｄ、Ｒ、Ｌ、およびＴ）ならびに種々の点（Ｐ）の位置が表１および２に示されるが、他の値も適用することができ、本発明の範囲内である。種々の点（Ｐ）の位置または座標は、中心点Ｃから測定される。眼内レンズ１０のハプティックは、中心点Ｃを通過するＺ軸を中心として回転対称である。１つのハプティック２２の寸法パラメータおよび点の位置を、適宜反対のハプティック２２にも適用する。１８０度回転したときに２つのハプティック２２の位置が入れ替わるように、回転対称の度数は１８０度である。
【表１】
0005858346.tif 000002
【表２】
0005858346.tif 000003
【００３６】
図４に示されるように、平面図におけるオプティック１２のサイズは、直径Ｄ１およびＤ２によって画定される。オプティック周縁部２０の大半は、Ｄ１と一致する。オプティック−ハプティック分岐点の近くでは、オプティック前面１８が、直径Ｄ１を超えて直径Ｄ２まで延在する。ハプティック−オプティック分岐点では、直径Ｄ２がオプティック周縁部２０を画定し、それはテーパ面６８の開始部を示す。図５に示されるように、テーパ面６８は、凹状であり、内径Ｒ６によって一部画定される。テーパ面６８は、平面図内で直径Ｄ２およびＤ３が境界となる。テーパ面６８は、直径Ｄ２でオプティック前面１４と交差し、直径Ｄ３で前方アーム面７２と交差する。厚さＴ１は、アーム部２６におけるハプティックエッジ面５８の一部のＺ軸方向の高さに対応する。Ｔ１はまた、ハプティックエッジ面５８の前方エッジ６２とハプティックエッジ面５８の後方エッジ６４との間のＺ軸方向の分離にも対応する。厚さＴ２は、段付き面４４のＺ軸方向の高さに対応する。Ｔ２はまた、後方アーム面４２と後方ショルダー面４６との間のＺ軸方向の分離にも対応する。厚さＴ３は、オプティックエッジ面１８のＺ軸方向の高さに対応する。Ｔ３はまた、オプティックエッジ面１８の前方エッジ５４とオプティックエッジ面１８の後方エッジ５６との間のＺ軸方向の分離にも対応する。
【００３７】
本発明のいくつかの特定の形態について例示および説明してきたが、本発明の趣旨から逸脱することなく種々の変更を行うことができることはまた明らかであろう。本発明の様々な形態を形成するために、開示される実施形態の特定の特徴および態様の種々の組み合わせまたは下位組み合わせが、互いと組み合わせられてもよいか、または置き換えられてもよいこともまた企図される。したがって、添付の特許請求の範囲によって限定される場合を除いて、本発明を限定することを意図するものではない。
【図１】
0005858346.tif 000004
【図２】
0005858346.tif 000005
【図３】
0005858346.tif 000006
【図４】
0005858346.tif 000007
【図５】
0005858346.tif 000008
【図６】
0005858346.tif 000009
【図７】
0005858346.tif 000010
【図８】
0005858346.tif 000011